Podtech/llm-jp-corpus-v4-ja_patent huggingface dataset:
(57)【要約】【課題】日常生活において、鉄筋コンクリート構造の老朽化によるコンクリートのひび割れ並びに破損物の落下、強風による電柱の破損の防止を行い耐久性を向上させ、耐震性能に際して、補助建材又は、ダンパー等の取り付けも実現し、用途に応じた安全性向上と内部にコンクリート補助剤の注入も可能にする新たな構造物の強化枠板式  鉄筋コンクリート構造を提拱する。【解決手段】外枠（強化板）（２）の中に鉄筋（３）を一体になるように縦と横に設け、コンクリート（生コン）（４）を流し入れた強化枠板式  鉄筋コンクリート構造を特徴とする。【選択図】図２
2011117260.tif 000002
【特許請求の範囲】
【請求項１】
構造種別並びに構造形式と建築材料（ＪＩＳ規格）等の、構造物の内部中心から３６０℃外観並びに外観取り付け材（連結部材、補助部材含む）等までの範囲において内外部のしくみ（組み合せ）に加え、コンクリート表面のひび割れ防止、縦と横の性能等の向上を勘案し、外枠（強化板）を設け、使用用途により強化（外観のパーツ化、パーツの交換、その他）等により、耐震性能の向上を考慮し又は、老朽化に対し建築材料（ＪＩＳ規格）の交換も及び考案、実施等可能な新たに生まれた構造物（構造）の方法である。強化枠板式  鉄筋コンクリート構造
【請求項２】
外枠（強化板）は、建築法令又は、ＪＩＳ（日本工業規格）に記載の建築材料を使用し、及び建築材料（連結部材、補助部材）等の取り付けを可能にし、耐震性能（耐久性、その他）等の向上を含む新たなデザインを考案又は、作成等も可能である。請求項１に記載の強化枠板式  鉄筋コンクリート構造。
【請求項３】
内部のしくみ（組み合せ）等の建築材料は、建築法令又は、ＪＩＳ（日本工業規格）に準じ構成もしくは外枠（建築材料）と内部（建築材料）は一体式である。
請求項１又は、２に記載の強化枠板式  鉄筋コンクリート構造。
【請求項４】
材料等は、用途により形状の変化を有し、コンクリート並びに材質、大きさ、厚み等含む建築法令又は、ＪＩＳ（日本工業規格）に準じ考慮する。請求項１及至３のいずれかに記載の強化枠板式  鉄筋コンクリート構造。
【請求項５】
塗料並びにペイント等は、必要に応じて建築材料（連結部材、補助部材）等に用い使用する。請求項１及至４のいずれかに記載の強化枠板式  鉄筋コンクリート構造。
【発明の詳細な説明】
【技術分野】
【０００１】本発明は、構造物の外部において強化枠板を設けた強化枠板式  鉄筋コンクリート構造。
【背景技術】
【０００２】従来、外骨格生物と内骨格生物は別々になっていた。
【発明の開示】
【発明が解決しようとする課題】
【０００３】これは次のような欠点があった。
従来、鉄筋コンクリート構造又は、コンクリートはテレビの報道及び建築材料書記載等の「ひび割れ」が生ずる事や、強風の影響により電柱が折れる事など老朽化等も含め危険性が少なくない、地震による高速道路並びに建築物の強化も課題である。本発明は、以上のような欠点をなくすためにされたものである。
【課題を解決するための手段】
【０００４】外枠（強化板）（２）の中に、鉄筋（３）を一体になるように縦と横に設け、コンクリート（生コン）（４）を流しいれる。本発明は、以上の構成よりなる強化枠板式  鉄筋コンクリート構造である。
【発明の効果】
【０００５】強化枠板と内部のしくみが一体になっているので、各強度が強化され耐震装置、その他等の設置も接続することにより、より地震に対して効果を発揮し、高水準の安全確保を保て災害に対処しうる。
【発明を実施するための最良の形態】
【０００６】以下、本発明を実施するための最良の形態について説明する。
外枠（強化板）（２）ごとに均等に穴を設け、鉄筋（３）を組んだ一端に一部をのぞき外枠（強化板）（２）の穴を差しこみ溶接等で固定し、コンクリート（生コン）（４）を内部に流しいれ外枠（強化板）（２）の一部を鉄筋（３）に差しこみ溶接等で固定する。
本発明は、以上のような構造である。これを使用するときは、地震、強度建物、その他（柱）等など、強度等を勘案したヵ所へ外枠（強化板）と内部が一体になった強化枠板式  鉄筋コンクリート構造を設け対処すればよい。
【図面の簡単な説明】
【０００７】
【図１】本発明の正面図（Ａ）（Ｂ）である。
【図２】本発明の断面図（Ａ）（Ｂ）である。
【図３】本発明の正面図である。
【符号の説明】
【０００８】１  強化枠板式  鉄筋コンクリート構造
２  外枠（強化板）
３  鉄筋
４  コンクリート（生コン）
５  耐震装置
６  スラブ、ケタ
【図１】
2011117260.tif 000003
【図２】
2011117260.tif 000004
【図３】
2011117260.tif 000005
(57)【要約】      （修正有）【課題】クロージャーの巾が広くて、梯子で作業するには、梯子の巾が狭いので、横にかけて体を乗り出して作業するのを回避するクロージャー配線作業用梯子アタッチメントを提供する。【解決手段】クロージャー配線作業用アタッチメント３は、梯子先端のフック４にアタッチメント３の水平部を中に挿入し、梯子最上段のステップに固定フック６と可動フック５で梯子に取り付け、作業時にはアタッチメント３の両端に広がったフック２をクロージャー１に掛けて使用する。【選択図】図１
2011117259.tif 000002
【特許請求の範囲】
【請求項１】
クロージャーの両端に架けるため、フックが両端に広がった梯子アタッチメント
【発明の詳細な説明】
【技術分野】
【０００１】架線中にある電話配線箱で配線作業するためのはしごに関する
【背景技術】
【０００２】  インターネットの普及により光ファイバー配線など架線途中の分配配線工事が複雑になり配線分配するための箱クロージャーが、幅広くなってきた。
【発明の開示】
【発明が解決しようとする課題】
【０００３】高所作業用のバケット車が使える交通遮断が出来るのなら問題はないのですが。どうしても高所作業車が使えないところは、梯子を使って作業しなければ成らない場所があります。
【発明の効果】
【０００４】  梯子作業するには、クロージャーの巾が梯子の巾より広いのでクロージャーの横にかけて、斜めに身を乗り出して苦しい危険な状態の作業になります。
【発明を実施するための最良の形態】
【０００５】  最初から巾の広い梯子であれば通常の作業や運搬するとき邪魔になります。巾が必要なときにだけ通常の梯子に、簡単に取り付けて、使わないときは、外して折りたためる事が望ましい。
【実施例１】
【図面の簡単な説明】
【０００６】
【図１】は、梯子に取り付けた状態を表す
【図２】は、クロージャー作業アッタチメントのみを表す
【産業上の利用可能性】
【０００７】  架線途中のクロージャーの両外側の架線にフックを架けているので、梯子に立つとクロージャーの正面で作業できるので、楽で安全です。【０００８】  ４の梯子先端のフックに３のアッタチメント水平部を中に挿入して、梯子最上段のステップに、６の固定フックと５の可動フックはさみ梯子に固定します。その状態で梯子を伸ばし１クロージャー両端の架線に２の両端に広がったフックをかけます
【符号の説明】
【０００９】１    クロージャー２    両端に広がったフック３    本考案のアタッチメント４    梯子先端のフック５    梯子にアタッチメントを固定するための可動フック６    アタッチメント側の固定フック
【図１】
2011117259.tif 000003
【図２】
2011117259.tif 000004
(57)【要約】【課題】客土吹付タンクに無線操縦装置を備え、連結システム構造の伝導駆動機を決定とした一連維持を可能とし、作業を迅速に行うことから作業性・能率性・効率性・生産性の向上を提供する。【解決手段】従来の客土吹付タンクのトラブルによる作動停止や危険極まりない作業条件を、無線操縦の集中操作で省力化を図る客土吹付タンクによって、安心・安全・事故防止・作業性・能率性・効率性・生産性の向上が得られる。【選択図】なし【特許請求の範囲】
【請求項１】
無線操縦客土吹付タンクを装置し、所要位置に配置されたクラッチの入・開放のクラッチとブレーキの駆動装置と発電機に指令送信と受信対応する一人の操作駆動手段を備えた無線操縦装置を特徴とする。
【請求項２】
上記記載構造の無線操縦装置は、無線制御盤と無線受令機からの出力される信号に基づく機能装置を特徴とした。
【請求項３】
請求項１、２による客土吹付タンクの装置は、水タンク、３００Ｌ・攪拌タンク４，５００Ｌ・一回の吹厚５ｃｍを可能とすることを特徴とする。
【請求項４】
請求項１から請求項３における機能を一体搭載構造としたことを特徴とする。
【請求項５】
無線操縦客土吹付タンクによる装置構造の趣旨を逸脱しない範囲の変更は、本発明に含まれる。
【発明の詳細な説明】
【技術分野】
【０００１】本発明は、無線操縦客土吹付タンクの装置に関するものである。
【背景技術】
【０００２】従来の客土吹付タンクは、タンクの容量が少ない・手作業であることから作業能率が上がらない。一体化装置の攪拌タンクを備えた無線操縦の客土吹付タンクが望まれていた。
【発明の開示】
【発明が解決しようとする課題】
【０００３】本発明は、上述の客土吹付タンク装置に無線制御装置を製造し、作業性・能率性・効率性・生産性向上を図る。【０００４】上記構造成形は、事故防止・安心・安全な無線制御装置の駆動手段で迅速な処理ができる。
【問題を解決するための手段】
【０００５】この発明は、無線制御装置の伝導駆動システムに連結機構を搭載し、構成されていることを特徴とする。
【０００６】無線制御駆動設計仕様を配置し、客土吹付タンク装置を用いたパワー供給のバッテリーの搭載編成を特徴とする。
【０００７】上記客土吹付タンクシステム構造は、無線制御装置を特徴とする。
【発明の効果】
【０００８】本発明は、上述のように、無線装置を客土吹付タンク機能に連結システムの伝導駆動構成構造を完成させ、迅速に作業ができることから作業性・能率性・効率性・生産性の向上が得られる。
【０００９】本発明の水タンクは、３００Ｌ・攪拌タンクは、４，５００Ｌを可能とする機能を備えている。しかも、一回の吹厚５ｃｍを可能とする機能を搭載することから客土吹付作業能率の向上を特徴とする。
【００１０】本発明の客土吹付タンクは、自在な移動を可能とし、給水・点検が楽にでき安全・安心・作業能率を特徴とする。
【発明を実施するための最良の形態】
【００１１】本発明の無線操縦客土吹付タンクの水タンクは、３００Ｌを特徴とする。【００１２】本発明の無線操縦客土吹付タンクの攪拌タンクを４，５００Ｌの搭載を特徴とする。【００１３】本発明の無線操縦客土吹付一回の吹厚５ｃｍを特徴とする。【００１４】本発明の本体は、一体化構造機能を特徴とする。【００１５】本発明は、アンテナ内蔵のコンパクトな送信機無線操縦制御装置を適合した整合構造を備えている。さらには、伝導駆動システムの構造で連結できる。【００１６】本発明による客土吹付タンクに無線操縦装置の実施形態は実施済であり、システム構造を決定する一連の機能構造をもつ全体構造を維持する。各機能に連結された実施例であり多くの詳細形態の加えられる構造趣旨を逸脱しない範囲の変更は、本発明に含まれる。
【産業上の利用可能性】
【００１７】本発明の無線操縦客土吹付タンクによる装置は、機能的な対応を可能とした構造のシステム化を提供するものである。よって安心・安全・作業性・能率性・効率性・生産の向上が得られる。